【事件の表示】
　特願２０１３−５０４１９４号「高い温度安定性を有するフレキシブル管」拒絶査定不服審判事件〔平成２３年１０月２０日国際公開、ＷＯ２０１１／１２８２０１、平成２５年　６月１７日国内公表、特表２０１３−５２４１３２号、請求項の数（３）〕について、次のとおり審決する。
【結　論】
　原査定を取り消す。
　本願の発明は、特許すべきものとする。
【理　由】
第１　手続の経緯
　本願は２０１１年（平成２３年）３月２９日（パリ条約による優先権主張外国庁受理２０１０年（平成２２年）４月１３日、ドイツ国）を国際出願日とする出願であって、その手続の経緯は以下のとおりである。
　　平成２６年１１月１８日付け：拒絶理由通知
　　平成２７年２月１９日　　　：意見書、手続補正書の提出
　　平成２７年４月２１日付け　：拒絶査定
　　平成２７年９月４日　　　　：審判請求書、手続補正書の提出
　　平成２８年６月１５日付け　：拒絶理由（以下、「当審拒絶理由」という。）通知
　　平成２８年９月１６日　　　：意見書、手続補正書の提出
第２　本願発明
　本願の請求項１−３に係る発明は、平成２８年９月１６日付けの手続補正で補正された特許請求の範囲の請求項１−３に記載された事項により特定されるものと認められるところ、その請求項１に係る発明（以下、「本願発明」という。）は以下のとおりである。
　「次の層：
ａ）材料が、
　−　ポリアリーレンエーテルケトン、
　−　ポリフェニルスルホン、
　−　ポリフェニレンスルフィド、
　−　ポリアリーレンエーテルケトン／ポリフェニレンスルフィドブレンド及び
　−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔｍを有する部分芳香族ポリアミドの群から選択されるポリマーを基礎とする成形材料からなる少なくとも１つの層；
ｂ）材料がフッ素ポリマー成形材料からなる少なくとも１つの層
を有する、内側ライニングを有する結合していない層を備えた多層構造のフレキシブル管であって、
　前記内側ライニングが、層順序ａ／ｂ／ａの三層であり、
　前記内側ライニングの全層厚が、４〜５０ｍｍであり、
　ａ）の層の厚さが、０．１〜８ｍｍであり、
　ａ）の層は、フレキシブル管のフレキシビリティーを維持し、ｂ）の層の膨潤、クリープを防ぐものである、フレキシブル管。」
第３　原査定の理由について
１．原査定の理由の概要
　平成２７年４月２１日付け拒絶査定の理由の概要は以下のとおりである。
　本願発明は、その優先日前に日本国内又は外国において、頒布された国際公開第２００５／０２８１９８号（以下、「引用文献」という。）に記載された発明であるから、特許法第２９条第１項第３号に該当し、特許を受けることができない。
　または、上記発明に基づいて、その出願前にその発明の属する技術の分野における通常の知識を有する者が容易に発明をすることができたものであるから、特許法第２９条第２項の規定により特許を受けることができない。
　より具体的には、
　引用文献には、ポリマー層としてpolysulphones、polysulfides、polyetherketoneketoneが例示され、フィルム層としてfluorous polymersが例示されている（特にclaim１〜５参照。）。更に、引用文献のclaim３０には、「film layer is sandwiched between two polymer layers」と記載されていることから、polysulphones、polysulfides、polyetherketoneketone等からなるポリマー層の間にfluorous polymersからなるフィルム層が挟まれる構成が記載されており、本願発明でいうところのａ／ｂ／ａの層配列を有する三層が記載されていると認められる、というものである。
２．原査定の理由の判断
（１）引用文献の記載事項
　引用文献には、次の記載がある（当審訳、下線は当審で付した。）。
ア「請求項１．
少なくとも１つのポリマー層及び１つのフィルム層を備え、前記ポリマー層が前記フィルム層に接合されていることを特徴とする、非接合型フレキシブルパイプ。
　
イ「請求項２．
前記ポリマー層が、
例えばポリフェニレンサルファイド（ＰＰＳ）
からなるグループから選択された１つ以上のポリマーを、５０重量％以上、
備えた
ウ「請求項４．前記フィルム層が、ポリマー、金属、金属含有組成物及びそれらの組み合わせからなる材料グループから選択されることを特徴とする、請求項１又は請求項２のいずれかに記載のフレキシブルパイプ。」
エ「請求項５.　
前記フィルム層が、
フルオラスポリマー、
からなるグループから選択された１つ以上のポリマー材料を備えたポリマーフィルムである
オ「請求項１９．
前記ポリマー層が
４〜２０ｍｍ
の厚さを有すること
カ「請求項２０．
前記ポリマー層が前記フィルム層より厚く、例えば前記フィルム層の４倍以上、
例えば１００倍以下の厚さを有すること
キ「請求項３０．
前記フィルム層が２つのポリマー層の間に挟まれ、
ていること
ク「技術分野
　
本発明は、非接合型フレキシブルパイプ及びその製造方法に関するものである。この非接合型フレキシブルパイプは、パイプ内の流体からのガス拡散に対する耐久力があるため、特に腐食性環境において有用である。
ケ「技術背景
　
非接合型フレキシブルパイプそれ自体は、当技術分野においてよく知られている。そのようなパイプは、当該パイプを通じて輸送される流体の流出を防ぐバリアを形成する内側ライナー、及び、当該内側ライナーの外側にある１つ以上の防護層（外側防護層）を含んでいる。
コ「
”非接合型”の語は、この文章中においては、防護層及びポリマー層を含む少なくとも２つの層が互いに接合していないことを意味する。
サ「
本発明の非接合型フレキシブルパイプは、
内側ライナー、
を含んでいる。
これらの内側ライナー、
は、上述したポリマー／フィルム層結合物の形式である。
　以上の記載内容から、引用文献には、
　「非接合型フレキシブルパイプであって、内側ライナーを含み、
前記内側ライナーは、２つのポリマー層とその間に挟まれた１つのフィルム層を備え、
前記ポリマー層が、ポリフェニレンサルファイド（ＰＰＳ）を、５０重量％以上備え、
前記フィルム層がフルオラスポリマーからなるグループから選択された１つ以上のポリマー材料を備えたポリマーフィルムであり、
前記ポリマー層が４〜２０ｍｍの厚さを有し、
前記ポリマー層が前記フィルム層より厚く、例えば前記フィルム層の４倍以上１００倍以下の厚さを有する、
非接合型フレキシブルパイプ。」
の発明（以下、「引用発明」という。）が記載されている。
（２）対比
　本願発明と引用発明とを対比する。
　引用発明の「フレキシブルパイプ」、および、「内側ライナー」は、技術的にみて本願発明の「フレキシブル管」、および、「内側ライニング」に相当する。また、引用発明の「非接合型フレキシブルパイプ」における「非接合型」とは、防護層及びポリマー層を含む少なくとも２つの層が互いに接合していないことを意味するから（上記摘記コ）、本願発明の「結合していない層を備えた」に相当し、引用発明の「内側ライナー」は「２つのポリマー層とその間に挟まれた１つのフィルム層備え」ているから、多層構造である。よって、引用発明の「非接合型フレキシブルパイプであって、内側ライナーを含み」は、本願発明の「内側ライニングを有する結合していない層を備えた多層構造のフレキシブル管であって」に相当する。
　引用発明の「内側ライナー」が「２つのポリマー層とその間に挟まれた１つのフィルム層備え」ていることは、本願発明の「前記内側ライニングが、層順序ａ／ｂ／ａの三層であり」にも相当する。
　引用発明の「ポリフェニレンサルファイド（ＰＰＳ）」が、本願発明の「ポリフェニレンスルフィド」に相当することは明らかである。また、引用発明の「前記ポリマー層が、ポリフェニレンサルファイド（ＰＰＳ）を、５０重量％以上備え」ることは、引用発明の「ポリマー層」が「ポリフェニレンサルファイド（ＰＰＳ）」を基礎とする成形材料からなるといえる。よって、引用発明の「前記ポリマー層が、ポリフェニレンサルファイド（ＰＰＳ）を、５０重量％以上備え」ることは、本願発明の「次の層：
ａ）材料が、
　−　ポリアリーレンエーテルケトン、
　−　ポリフェニルスルホン、
　−　ポリフェニレンスルフィド、
　−　ポリアリーレンエーテルケトン／ポリフェニレンスルフィドブレンド及び
　−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔｍを有する部分芳香族ポリアミドの群から選択されるポリマーを基礎とする成形材料からなる少なくとも１つの層」「を有する」ことに相当する。
　引用発明の「フルオラスポリマー」は、フッ素ポリマーといえるから、引用発明の「前記フィルム層がフルオラスポリマーからなるグループから選択された１つ以上のポリマー材料を備えたポリマーフィルムであり」は、本願発明の「次の層：
ｂ）材料がフッ素ポリマー成形材料からなる少なくとも１つの層」「を有する」ことに相当する。
　以上の点より、本願発明と引用発明の一致点及び相違点は次のとおりである。
【一致点】
「次の層：
ａ）材料が、
　−　ポリアリーレンエーテルケトン、
　−　ポリフェニルスルホン、
　−　ポリフェニレンスルフィド、
　−　ポリアリーレンエーテルケトン／ポリフェニレンスルフィドブレンド及び
　−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔｍを有する部分芳香族ポリアミドの群から選択されるポリマーを基礎とする成形材料からなる少なくとも１つの層；
ｂ）材料がフッ素ポリマー成形材料からなる少なくとも１つの層
を有する、内側ライニングを有する結合していない層を備えた多層構造のフレキシブル管であって、
　前記内側ライニングが、層順序ａ／ｂ／ａの三層である、
フレキシブル管。」
【相違点】
　本願発明においては、「前記内側ライニングの全層厚が、４〜５０ｍｍであり、ａ）の層の厚さが、０．１〜８ｍｍであり、ａ）の層は、フレキシブル管のフレキシビリティーを維持し、ｂ）の層の膨潤、クリープを防ぐものである」のに対し、引用発明では、「前記ポリマー層が４〜２０ｍｍの厚さを有し、前記ポリマー層が前記フィルム層より厚く、例えば前記フィルム層の４倍以上１００倍以下の厚さを有」する点。
（３）判断
　上記相違点について検討する。
　本願発明においては、「ａ）の層は、フレキシブル管のフレキシビリティーを維持し、ｂ）の層の膨潤、クリープを防ぐものである」と特定されているところ、本願明細書には、「この種のアンボンドフレキシブルパイプは、好ましくは１３０℃を超え、２００℃の範囲内まで及び場合によりそれ以上の使用温度で作業することができる。ａ）の層の使用により、内側ライニングの材料は、カーカス又は外側に向かって続く補強層の柔軟な領域の間の空間内へのクリープを引き起こす危険性を最小にする。従って、この管のフレキシビリティーは維持され、内側ライニングの破壊を引き起こしかねない変形領域中での応力亀裂の形成は生じない。」（段落【００４０】）と記載され、また、本願発明におけるａ）の層の材料である、「−　ポリアリーレンエーテルケトン、−　ポリフェニルスルホン、−　ポリフェニレンスルフィド、−　ポリアリーレンエーテルケトン／ポリフェニレンスルフィドブレンド及び−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔｍを有する部分芳香族ポリアミドの群から選択されるポリマー」は、高温特性が優れているものの比較的剛性の高い材料として知られ、これに対し、ｂ）の層の材料である、「フッ素ポリマー成形材料」は、比較的耐薬品性、耐酸化性に優れているものの機械的特性（クリープ特性）に劣る材料として知られている。
　よって、本願発明における「ａ）の層は、フレキシブル管のフレキシビリティーを維持し、ｂ）の層の膨潤、クリープを防ぐものである」は、高温特性が優れているものの比較的剛性の高いａ）の層でｂ）の層の膨潤、クリープを防ぎつつ、フレキシブル管のフレキシビリティーを維持しているものであるといえ、ａ）の層とｂ）の層の厚さの対比において、ｂ）の層が、フレキシブル管の使用時における膨潤、クリープが問題になる程度の厚みを有し、このｂ）の層の膨潤、クリープを防ぐａ）の層が、フレキシブル管のフレキシビリティーを維持できる程度の厚さに留まることを規定しているものといえる。
　しかしながら、引用文献には、引用発明のポリマー層及びフィルム層の材料の他に、選択可能な材料として、ポリマー層及びフィルム層について、ほぼ同様の材料が記載されていることからすれば、引用発明のポリマー層及びフィルム層の材料の選択について、それぞれの層に要求される特性に着目して特定の材料を選択したものとはいえないし、ポリマー層の厚さ及びポリマー層とフィルム層の厚さの比については、フィルム層の膨潤、クリープ、及び、ポリマー層のフレキシビリティーを問題として設定されたものではない。また、引用文献には、上記のポリマー層及びフィルム層の材料の選択、及び、ポリマー層の厚さ及びポリマー層とフィルム層の厚さの比について示唆する記載もない。
　そして、本願発明は、「ａ）の層は、フレキシブル管のフレキシビリティーを維持し、ｂ）の層の膨潤、クリープを防ぐものである」との構成を備えることにより、明細書段落【００１８】、段落【００４０】に記載の格別な作用効果を奏するものである。
（４）小括
　よって、本願発明は引用発明とはいえないし、引用発明から当業者が容易に発明をすることができたものともいえない。
　また、請求項２−３に係る発明は、本願発明をさらに限定したものであるので、本願発明と同様に、引用発明とはいえないし、引用発明から当業者が容易に発明をすることができたものともいえない。
　よって、原査定の理由によっては、本願を拒絶することはできない。
第４　当審拒絶理由について
１．当審拒絶理由の概要
　当審拒絶理由の概要は以下のとおりである。
　本願は、特許請求の範囲の記載が下記の点で、特許法第３６条第６項第１号に規定する要件を満たしていない。 
 　　 
　　　　　　　　　　　　　　　　記 
　この出願の明細書に記載された記載事項、特に、段落【００１０】、段落【００１７】−【００１８】、及び、段落【００４０】の記載内容からすれば、本願請求項１−３に係る発明は、膨潤、クリープの可能性のあるフッ素ポリマー成形材料からなるｂ層の両側に、 
　−　ポリアリーレンエーテルケトン、 
　−　ポリフェニルスルホン、 
　−　ポリフェニレンスルフィド、 
　−　ポリアリーレンエーテルケトン／ポリフェニレンスルフィドブレンド及び 
　−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔｍを有する部分芳香族ポリアミドの群から選択されるポリマーを基礎とする成形材料からなる少なくとも１つのａ層を配置することによって、高い作業温度、例えば１３０℃を上回る作業温度で耐性であり、かつ更に管のフレキシビリティーを過度に低下させない内側ライニングを得るものである。 
　ここで、請求項１−３に記載された発明特定事項、特に、「前記内側ライニングが、層順序ａ／ｂ／ａの三層であり、前記内側ライニングの全層厚が、４〜５０ｍｍであり、ａ）の層の厚さが、０．１〜８ｍｍである」という記載からすれば、請求項１−３に記載された発明特定事項からは、例えば、ａ層の厚さ８ｍｍ、ｂ層の厚さ０．１ｍｍ（内側ライニングの全層厚さが１６．１ｍｍ）のような、膨潤、クリープの可能性を考慮する必要がおよそ無いにもかかわらず、フレキシビリティの無いもの（本願段落【００１８】に記載の本願目的を達成し得ない発明）も請求項１−３に係る発明として包含しうる。 
　以上の点で、請求項１−３に係る発明は、発明の詳細な説明に記載したものでない。 
２．当審拒絶理由の判断
（１）平成２８年９月１６日付け手続補正書によって、本願の請求項１は、以下のとおり補正された（下線（当審で付した）は補正箇所である。）。
「次の層：
ａ）材料が、
　−　ポリアリーレンエーテルケトン、
　−　ポリフェニルスルホン、
　−　ポリフェニレンスルフィド、
　−　ポリアリーレンエーテルケトン／ポリフェニレンスルフィドブレンド及び
　−　ジカルボン酸成分は５〜１００モル％が８〜２２個のＣ原子を有する芳香族ジカルボン酸に由来し、かつ第２昇温時にＩＳＯ　１１３５７により測定して、少なくとも２６０℃の結晶融点Ｔmを有する部分芳香族ポリアミドの群から選択されるポリマーを基礎とする成形材料からなる少なくとも１つの層；
ｂ）材料がフッ素ポリマー成形材料からなる少なくとも１つの層
を有する、内側ライニングを有する結合していない層を備えた多層構造のフレキシブル管であって、
　前記内側ライニングが、層順序ａ／ｂ／ａの三層であり、
　前記内側ライニングの全層厚が、４〜５０ｍｍであり、
　ａ）の層の厚さが、０．１〜８ｍｍであり、
　
ａ）の層は、フレキシブル管のフレキシビリティーを維持し、ｂ）の層の膨潤、クリープを防ぐものである、
　上記補正により、請求項１に係る発明は、高い作業温度、例えば１３０℃を上回る作業温度で耐性であり、かつ更に管のフレキシビリティーを過度に低下させない内側ライニングを得るものとなるから、課題を解決するものとして、発明の詳細な説明に記載されたものである。
　よって、当審拒絶理由は解消した。
第５　むすび
　以上のとおり、原査定の理由及び当審拒絶理由によっては、本願を拒絶することはできない。
　また、他に本願を拒絶すべき理由を発見しない。
　よって、結論のとおり審決する。